(57)【要約】      （修正有）【課題】はがきが傷むのを防ぎ、連続印刷に繰り返し使用可能なはがき印刷用台紙を提供する。【解決手段】シート状の台紙本体２が、はがきの四隅を差し込んで表面に沿ってはがきを取付可能な切込孔１１を有している。裏面シール３が、一方の面の周縁部に沿って粘着性を有する粘着領域を有し、粘着領域の内側に粘着性を有していない非粘着性領域を有する。裏面シール３は、台紙本体２の表面側から切込孔１１にはがきの四隅を差し込んで台紙本体２にはがきを取り付けたとき台紙本体２の裏面側に突出するはがきの四隅を非粘着性領域で覆うよう、台紙本体２の裏面の、はがきの四隅が突出する位置の周囲に粘着領域で貼り付けられている。【選択図】図１
0003197168.tif 000002
【実用新案登録請求の範囲】
【請求項１】
台紙本体と裏面シールとを有し、
前記台紙本体は、はがきの四隅を差し込んで表面に沿って前記はがきを取り付け可能な切込孔を有し、
前記裏面シールは、前記台紙本体の表面側から前記切込孔にはがきの四隅を差し込んで前記台紙本体に前記はがきを取り付けたとき前記台紙本体の裏面側に突出する前記四隅を覆うよう、前記台紙本体の裏面の、前記四隅が突出する位置の周囲に貼り付けられていることを、
特徴とするはがき印刷用台紙。
【考案の詳細な説明】
【技術分野】
【０００１】
本考案は、はがき印刷用台紙に関する。
【背景技術】
【０００２】
従来のはがき印刷用の台紙として、フィルム状の透明可撓性部材を用いて構成した台紙に、はがきの四隅を差し込むための切込孔を設けたものや（例えば、特許文献１参照）、台紙に多数の孔を設け、それらの孔に合わせてはがきを貼り付けて使用するものがある（例えば、特許文献２参照）。
【先行技術文献】
【特許文献】
【０００３】
【特許文献１】実公平７−２２０７号公報
【特許文献２】意匠登録第１４８０３３４号公報
【考案の概要】
【考案が解決しようとする課題】
【０００４】
特許文献１に記載の台紙では、はがきの四隅が裏面側に突出するため、複数枚を重ねて連続印刷を行うと、突出した部分が次の台紙のはがき等に引っ掛かってしまい、連続印刷することができないという課題があった。このため、台紙を１枚ずつ手差しで印刷する必要があった。また、特許文献２に記載の台紙では、はがきを表面に貼り付ける必要があるため、はがきを剥がすときに、はがきが傷んでしまうという課題があった。また、はがきを何度か貼り付けるうちに粘着力が弱まるため、繰り返しの使用に耐えられないという課題もあった。
【０００５】
本考案は、このような課題に着目してなされたもので、はがきが傷むのを防ぎ、連続印刷に繰り返し使用可能なはがき印刷用台紙を提供することを目的とする。
【課題を解決するための手段】
【０００６】
上記目的を達成するために、本考案に係るはがき印刷用台紙は、台紙本体と裏面シールとを有し、前記台紙本体は、はがきの四隅を差し込んで表面に沿って前記はがきを取り付け可能な切込孔を有し、前記裏面シールは、前記台紙本体の表面側から前記切込孔にはがきの四隅を差し込んで前記台紙本体に前記はがきを取り付けたとき前記台紙本体の裏面側に突出する前記四隅を覆うよう、前記台紙本体の裏面の、前記四隅が突出する位置の周囲に貼り付けられていることを、特徴とする。
【０００７】
本考案に係るはがき印刷用台紙は、はがきの四隅を切込孔に差し込むことにより、はがきを台紙本体の表面に沿って取り付けることができる。このとき、台紙本体の裏面で、はがきの四隅が裏面シールにより覆われるため、はがきの四隅が突出しない。このため、台紙本体を複数枚重ねて連続印刷を行っても、はがきの四隅が次の台紙のはがき等に引っ掛かるのを防ぐことができ、スムーズに連続印刷を行うことができる。
【０００８】
また、裏面シールが裏面に突出するはがきの四隅の周囲で台紙本体の裏面に貼り付けられているため、はがきを貼り付けることなく、台紙本体の表面に取り付けることができる。このため、本考案に係るはがき印刷用台紙は、はがきを傷めずに台紙本体から容易に取り外すことができ、また、何度でも繰り返し使用することができる。なお、裏面シールは、例えば、一部のりつきのシールなどから成っている。
【０００９】
切込孔は、はがきの四隅に対応して４つを１組として、複数組が台紙本体に設けられていることが好ましい。この場合、複数枚のはがきを同時に印刷することができる。また、裏面シールは周縁部に沿った粘着領域で台紙本体に貼り付けられていることが好ましい。この場合、裏面シールが剥がれたり、連続印刷時に次の台紙のはがき等に引っ掛かったりするのを防ぐことができる。裏面シールは、１枚で１つの切込孔を覆うものでも、１枚で複数の切込孔を覆うものでもよい。裏面シールは、四角形、三角形、その他いかなる形状から成ってもよい。
【考案の効果】
【００１０】
本考案によれば、はがきが傷むのを防ぎ、連続印刷に繰り返し使用可能なはがき印刷用台紙を提供することができる。
【図面の簡単な説明】
【００１１】
【図１】本考案の実施の形態のはがき印刷用台紙を示す平面図である。
【図２】図１に示すはがき印刷用台紙の底面図である。
【図３】本考案の実施の形態のはがき印刷用台紙の変形例を示す平面図である。
【考案を実施するための形態】
【００１２】
以下、図面に基づき本考案の実施の形態について説明する。
図１乃至図３は、本考案の実施の形態のはがき印刷用台紙を示している。
図１および図２に示すように、はがき印刷用台紙１は、台紙本体２と裏面シール３とを有している。
【００１３】
台紙本体２は、矩形のシート状を成し、表面に４枚のはがきを縦横２列ずつ並べて取付可能に、各はがきの四隅を差し込むための切込孔１１を有している。切込孔１１は、台紙本体２の表側から裏側に貫通し、はがきの四隅にそれぞれ対応する位置に４つを１組として形成されている。また、切込孔１１は、はがきの隅で交わる各側辺に対して、伸長方向が４５度を成すよう設けられている。台紙本体２は、表面に、はがきを取り付ける位置を示す外形線表示１２を有している。
【００１４】
裏面シール３は、複数から成り、４つの角が面取りされた四角形形状を成している。各裏面シール３は、一部のりつきのシールから成り、一方の面の周縁部に沿って粘着性を有する粘着領域１３を有し、粘着領域１３の内側に粘着性を有していない非粘着性領域１４を有している。各裏面シール３は、台紙本体２の表面側から切込孔１１にはがきの四隅を差し込んで台紙本体２にはがきを取り付けたとき台紙本体２の裏面側に突出するはがきの四隅を非粘着性領域１４で覆うよう、台紙本体２の裏面の、はがきの四隅が突出する位置の周囲に粘着領域１３で貼り付けられている。
【００１５】
なお、図１および図２に示す具体的な一例では、台紙本体２の中央部の、４枚のはがきの隅が近接する箇所では、その４つの隅を覆うよう大きい正方形状の裏面シール３が貼り付けられている。また、台紙本体２の４つの側辺の中央部近傍の、２枚のはがきの隅が近接する４箇所では、その２つの隅を覆うよう長方形状の裏面シール３が貼り付けられている。また、台紙本体２の四隅近傍の、１枚のはがきの１つの隅しかない４箇所では、その１つの隅を覆うよう小さい正方形状の裏面シール３が貼り付けられている。なお、各裏面シール３は、それぞれ１または複数の切込孔１１およびその切込孔１１から突出するはがきの隅を覆うことができるものであれば、三角形状や円形状など、いかなる形状であってもよい。
【００１６】
次に、作用について説明する。
はがき印刷用台紙１は、はがきの四隅をそれぞれ切込孔１１に差し込むことにより、はがきを台紙本体２の表面に沿って取り付けることができる。このとき、台紙本体２の裏面で、はがきの四隅が裏面シール３により覆われるため、はがきの四隅が突出しない。このため、台紙本体２を複数枚重ねて連続印刷を行っても、はがきの四隅が次の台紙のはがき等に引っ掛かるのを防ぐことができ、スムーズに連続印刷を行うことができる。また、裏面シール３が周縁部に沿った粘着領域１３で台紙本体２に貼り付けられているため、裏面シール３が剥がれたり、連続印刷時に次の台紙のはがき等に引っ掛かったりするのを防ぐこともできる。このため、よりスムーズに連続印刷を行うことができる。
【００１７】
また、裏面シール３が裏面に突出するはがきの四隅の周囲で台紙本体２の裏面に貼り付けられ、非粘着性領域１４がはがきの四隅に対応するため、はがきを貼り付けることなく、台紙本体２の表面に取り付けることができる。このため、はがき印刷用台紙１は、はがきを傷めずに台紙本体２から容易に取り外すことができ、また、何度でも繰り返し使用することができる。はがき印刷用台紙１は、１枚〜４枚のはがきを同時に印刷することができる。
【００１８】
なお、図３に示すように、切込孔１１は、取り付けるはがきの中心方向に向かって突出した円弧状に形成されていてもよい。この場合、直線状のものよりも、切込孔１１にはがきの隅を入れやすく、はがき印刷用台紙１にはがきを取り付けやすい。
【符号の説明】
【００１９】
１  はがき印刷用台紙
２  台紙本体
３  裏面シール
１１  切込孔
１２  外形線表示
１３  粘着領域
１４  非粘着性領域
【図１】
0003197168.tif 000003
【図２】
0003197168.tif 000004
【図３】
0003197168.tif 000005